(57)【要約】【課題】機器に備えられた監視／操作手段によって調整などが行える機器メンテナンス方法、及び機器メンテナンスシステムを提供する。【解決手段】機器２０の状態をモニタするとともに機器２０に対して操作指令を与える監視／操作手段１０を備え、通常の使用時とは異なる特殊な手続きをすることで、前記監視／操作手段１０によって、機器２０のモニタの他にメンテナンス作業を行うことも可能とした。治療装置においては、水位センサや温度センサの補正、装置動作のエラー判定設定などのほかに、温度センサを取り外すことなく、温度調節器の校正や調整をすることも可能である。これらは、治療装置の動作に関する重要な部分であるので、誤って使用者が操作しないようにパスワードなどの特殊な手続きによって保護する。【選択図】　　　図１
2004097623.tif 000002
【特許請求の範囲】
【請求項１】
機器の状態をモニタするとともに機器に対して操作指令を与える監視／操作手段を備え、通常の使用時とは異なる特殊な手続きをして、前記監視／操作手段に機器のメンテナンス作業画面を表示させ、該メンテナンス作業画面を使用して、機器の調整を行うことを特徴とする機器メンテナンス方法。
【請求項２】
前記機器が、治療槽内の湯に被治療者の身体を浸漬し、被治療者の体温を所定温度に上昇させ、且つこれを維持して治療を行う治療装置であることを特徴とする請求項１に記載の機器メンテナンス方法。
【請求項３】
治療槽内の湯に被治療者の身体を浸漬し、被治療者の体温を所定温度に上昇させ、且つこれを維持して治療を行う、請求項１に記載の機器メンテナンス方法を適用される治療装置。
【請求項４】
前記治療装置は、温度センサを取り外すことなく、温度調節器の校正や調整が可能であることを特徴とする請求項３に記載の治療装置。
【請求項５】
前記治療装置は、前記メンテナンス設定画面から入力された情報を保持する不揮発性記憶装置を備えることを特徴とする請求項３又は請求項４に記載の治療装置。
【請求項６】
以下の構成を備えた機器メンテナンスシステム：
（ａ）機器
（ｂ）前記機器の状態をモニタするとともに機器に対して操作指令を与えることが可能な監視／操作手段
（ｃ）通常の使用時とは異なる特殊な手続きをすることによって、前記監視／操作手段に機器のメンテナンス作業画面を表示させ、該メンテナンス作業画面を使用して、機器の調整を行うことを可能とする、監視／操作手段にインストールされたアプリケーションプログラム。
【請求項７】
前記機器が、治療槽内の湯に被治療者の身体を浸漬し、被治療者の体温を所定温度に上昇させ、且つこれを維持して治療を行う治療装置であることを特徴とする請求項６に記載の機器メンテナンスシステム。
【発明の詳細な説明】
【０００１】
【発明の属する技術分野】
本発明は、機器メンテナンス方法、機器メンテナンスシステム、及びこのメンテナンス方法を適用される治療装置に関する。特に治療装置に関しては、温浴方式の治療装置に関する。
【０００２】
【従来の技術】
現在では、様々な機器がコンピュータ制御の対象となっている。一般消費者向けの機器では、コンピュータ（マイコン）を機器に内蔵したケースがほとんどである。しかしながら、業務用の大型機器、特に機器本体を遠隔操作するようなものでは、機器本体に市販のパーソナルコンピュータ（パソコン）を組み合わせ、このパソコンに専用のアプリケーションプログラムをインストールして運転を行うものも多い。これらの機器でメンテナンスを行う場合、パソコンに別途インストールされたメンテナンス作業専用のプログラムを立ち上げて調整作業を行うことがある。また、メンテナンスを行うときに、機器の設置場所に、メーカのサービス技術者がパソコンを持ち込んで機器に接続し、そのパソコンにインストールされたメンテナンス作業専用のプログラムを立ち上げて調整作業を行うことがある。
【０００３】
このような大型機器の一例として、医療用機器の分野における、温熱治療に使用される治療装置がある。温熱治療は、癌やＨＩＶ感染症（エイズ）などの治療に適用される。これは、癌細胞あるいはＨＩＶウィルスが正常細胞より熱に対する耐性が低いことを利用し、癌細胞あるいはＨＩＶウィルスが死滅する温度（一般的には４２．５゜Ｃ）まで体温を上げて治療を行うものである。温熱治療は、体温を上げる部位の範囲により、局部加熱治療と全身温熱治療に分けられる。
【０００４】
局部加熱治療は、患部が特定されている場合はその作用を目視で確認しながら治療を進めることができ、有効である。しかしながら癌細胞が他組織に転移していたり、また１箇所に偏在することのないＨＩＶウィルスを相手にする場合には利用することができない。
【０００５】
全身温熱治療の方式としては、体外で血液を加熱する体外循環方式や遠赤外線を照射する遠赤外線方式といったものがある。前者は外科手術が必要、後者は体温変化が遅く、またヒータによる熱傷の危険があるといった具合に、それぞれ固有の問題がある。そこで最近では、被治療者の身体を湯に浸漬する温浴方式が注目されている（例えば、特許文献１参照。）。
【０００６】
【特許文献１】
特開平１０−３３６２６号公報
【０００７】
【発明が解決しようとする課題】
機器本体に市販のパーソナルコンピュータ（パソコン）を組み合わせて運転を行う場合においては、機器を制御するアプリケーションプログラムとは別にメンテナンス作業専用のプログラムをインストールして立ち上げる必要があり、たいへん不便である。また、複数のプログラムを必要とすることで、プログラムの製作に手間とコストがかかり、使用者が機器を導入する際にもコストがかさむ場合がある。さらに、パソコンなどを別途持ち込んで、機器に接続して調整を行う場合、パソコンを持ち込むための手間や労力を必要とする。
【０００８】
また、温浴方式の温熱治療の治療装置は、外部の温水器からの温水や治療装置のヒータを使用して治療槽の水温を上昇させたり、冷水を使用して水温を下降させたりする機能を有しており、通常、温度調節器、温度センサ、水位センサ等を備えている。これらのセンサ類は時間の経過や外乱などによって計測精度が落ちる可能性があるため、定期的な校正を必要とする。また、設定温度に対するオーバーシュートを発生させないために、これを考慮した加熱／冷却動作をさせなければならない。加熱／冷却動作は、治療装置の設置場所などの動作環境に影響されるので、状況に応じて調整しなければならない。このような校正や調整のたびに複数のプログラムを立ち上げたり、パソコンを別途持ち込んだりするのは、一般的なメンテナンス作業のみを必要とする機器以上に、非常に不便である。
【０００９】
本発明は上記の点に鑑みなされたものであり、機器のメンテナンス時に、複数のプログラムを立ち上げたり、パソコンなどの外部端末を別途持ち込んだりすることを必要とせず、機器に備えられた監視／操作手段のみによって調整などが行える機器メンテナンス方法、及び機器メンテナンスシステムを提供することを目的とする。また、温熱治療の治療装置においては、治療装置に備えられた監視／操作手段によって、センサの校正や加熱／冷却動作の調整などが行える機器メンテナンス方法を適用される治療装置を提供することを目的とする。
【００１０】
【課題を解決するための手段】
上記の課題を解決するため、本発明は、機器メンテナンス方法において、機器の状態をモニタするとともに機器に対して操作指令を与える監視／操作手段を備え、通常の使用時とは異なる特殊な手続きをして、前記監視／操作手段に機器のメンテナンス作業画面を表示させ、該メンテナンス作業画面を使用して、機器の調整を行うこととした。
【００１１】
この構成によれば、機器に備えられた監視／操作手段によって、調整などのメンテナンス作業を行うことができるようにしたので、複数のプログラムを立ち上げたり、パソコンなどの外部端末を別途持ち込んだりする必要がなく、作業の負担も極めて少なくなる。
【００１２】
また、本発明は、機器メンテナンス方法において、前記機器が、治療槽内の湯に被治療者の身体を浸漬し、被治療者の体温を所定温度に上昇させ、且つこれを維持して治療を行う治療装置であることとした。
【００１３】
この構成によれば、治療装置に備えられた監視／操作手段によって、センサの校正や加熱／冷却動作の調整などのメンテナンス作業を行うことができるようにしたので、複数のプログラムを立ち上げたり、パソコンなどの外部端末を別途持ち込んだりする必要がなく、作業の負担も極めて少なくなる。
【００１４】
また、本発明は、治療槽内の湯に被治療者の身体を浸漬し、被治療者の体温を所定温度に上昇させ、且つこれを維持して治療を行う、前記機器メンテナンス方法を適用される治療装置である。
【００１５】
この構成によれば、治療装置の通常のモニタや操作とメンテナンス作業が、治療装置に備えられた監視／操作手段によって可能となり便利である。
【００１６】
また、前記治療装置は、温度センサを取り外すことなく、温度調節器の校正や調整が可能である。
【００１７】
この構成によれば、治療装置に組み込まれた温度調節器を手作業で分解するなどする必要がなくなり、治療装置に備えられた監視／操作手段の画面だけを見て校正や調整が可能となり便利である。
【００１８】
また、前記治療装置は、前記メンテナンス設定画面から入力された情報を保持する不揮発性記憶装置を備える。
【００１９】
この構成によれば、治療装置の電源をＯＦＦにした場合でも情報が消去されず、次にメンテナンス作業をする機会に再度情報を参照することが可能となる。また、個々の治療装置固有のデータが外部に出ることがない。
【００２０】
また、本発明では以下のように機器メンテナンスシステムを構成する。
（ａ）機器
（ｂ）前記機器の状態をモニタするとともに機器に対して操作指令を与えることが可能な監視／操作手段
（ｃ）通常の使用時とは異なる特殊な手続きをすることによって、前記監視／操作手段に機器のメンテナンス作業画面を表示させ、該メンテナンス作業画面を使用して、機器の調整を行うことを可能とする、監視／操作手段にインストールされたアプリケーションプログラム。
【００２１】
この構成によれば、機器に備えられた監視／操作手段によって調整などが行えるようにしたので、複数のプログラムを立ち上げたり、パソコンなどの外部端末を別途持ち込んだりする必要がなく、作業の負担も極めて少なくなる。
【００２２】
また、本発明は、機器メンテナンスシステムにおいて、前記機器が、治療槽内の湯に被治療者の身体を浸漬し、被治療者の体温を所定温度に上昇させ、且つこれを維持して治療を行う治療装置であることとした。
【００２３】
この構成によれば、治療装置に備えられた監視／操作手段によって、センサの校正や加熱／冷却動作の調整などのメンテナンス作業を行うことができるようにしたので、複数のプログラムを立ち上げたり、パソコンなどの外部端末を別途持ち込んだりする必要がなく、作業の負担も極めて少なくなる。
【００２４】
【発明の実施の形態】
以下、本発明の実施形態を図に基づき説明する。
【００２５】
図１は、本発明の機器メンテナンスシステムの構成図である。１０は、機器２０の状態をモニタするとともに機器２０に対して操作指令を与える監視／操作手段である。監視／操作手段１０には、市販のパソコンが使用され、主演算装置やハードディスクなどが組み込まれた本体や、監視状況を表示するＣＲＴモニタや液晶モニタなどの表示装置、操作手段としてのキーボードなどを備え、アプリケーションプログラムがインストールされている。機器２０の例としては、業務用の大型機器、特に本体を遠隔操作するような機器などが挙げられる。このように、機器本体に市販のパソコンを組み合わせ、このパソコンに専用のアプリケーションプログラムをインストールして運転を行うものの例としては、温浴方式の温熱治療の治療装置などが挙げられる。
【００２６】
監視／操作手段１０へ送られる使用者からの指令を受けて、監視／操作手段１０にインストールされたアプリケーションプログラムが、モニタする機器２０の状態を画面に表示し、機器２０に対する操作を実行する。機器２０の状態のモニタなどを使用者が行う「通常の使用」に対して、メーカのサービス技術者などが機器２０のメンテナンス作業を行う「特殊な使用」がある。「特殊な使用」のとき、メーカのサービス技術者は、アプリケーションプログラムを操作して、通常の使用時に表示される画面とは異なるメンテナンス作業画面を表示する必要がある。このメンテナンス作業画面による操作は、機器２０の動作に関わる重要な部分に触れるため、安全上、機器２０の使用者による「通常の使用」のときには操作ができないようにしておく必要がある。そこで、パスワードを使用するなど、「通常の使用」のときとは異なる特殊な手続きを踏んで、メンテナンス作業画面が表示されるようにする。このように、本発明では、機器２０に対する通常の監視／操作で使用するためにインストールされたアプリケーションプログラムによって、メンテナンス作業も行えることを特徴としている。
【００２７】
図２は、図１の機器メンテナンスシステムの応用例を示す構成図である。図２には、機器として温浴方式の温熱治療の治療装置が示されている。図３は、治療装置の温度等を制御する制御系のブロック図である。温浴方式の温熱治療の治療装置本体２１は、被治療者Ｈの身体を湯３１に浸漬するための治療槽３０と、湯３１の温度を制御する制御部４０を備える。治療槽３０には、湯３１の水位を検知する水位センサ５１と湯３１の温度を検知する温度センサ５２が槽内に固定され、これらのセンサの情報は制御部４０に送られる。また、治療槽３０には、循環パイプ５５と冷水パイプ５６が接続される。循環パイプ５５には、制御部４０内においてヒータ５３が取り付けられており、治療槽３０からの湯３１がヒータ５３で加熱され、また治療槽３０に還る構造になっている。冷水パイプ５６には、冷水バルブ５４が取り付けられており、湯３１を冷却するときに外部から冷水が注入される。冷水バルブ５４は電磁バルブなどで構成され、冷水パイプ５６からの水量を自在に調節する。
【００２８】
制御部４０は、モニタ装置４２、不揮発性記憶装置４３、温度調節器４４、及びこれらを制御する制御装置４１を備える。モニタ装置４２は、水位センサ５１と温度センサ５２からの情報をモニタする。不揮発性記憶装置４３には、メンテナンス作業で決定された設定値やモニタ装置４２から得られたモニタ情報などが保存される。温度調節器４４は、湯３１の温度を検知する温度センサ５２と湯３１の温度を調節するヒータ５３、冷水バルブ５４から成る。温度センサ５２によって検知された湯３１の温度は、モニタ装置４２でモニタされ、制御装置４１にその温度情報が送られる。制御装置４１は、予め設定された温度とモニタ装置４２から送られてきた湯３１の温度情報を比較して、温度が低い場合には温度調節器４４のヒータ５３に、温度が高い場合には冷水バルブ５４に制御信号を送る。湯３１が常に設定温度になるように、自動的に加熱／冷却動作を制御することが可能である。
【００２９】
また、治療装置は治療装置本体２１の状態をモニタするとともに制御装置４１に対して操作指令を与える監視／操作手段１０を備える。監視／操作手段１０には、治療装置本体２１に操作指令を送り、或いはモニタ情報を表示するためのアプリケーションプログラムが予めインストールされている。治療槽３０の水温や水位、治療装置本体２１の動作状態などのモニタ情報は、使用者の操作指令によって、モニタ装置４２から監視／操作手段１０に送られる。使用者が設定温度などを変更したい場合には、アプリケーションプログラムを介して制御装置４１に温度変更の指令が送られ、温度調節器４４が制御され、設定温度情報が不揮発性記憶装置４３に保存される。
【００３０】
図４は治療装置の監視／制御手段にインストールされたアプリケーションプログラムの通常使用画面である。通常使用画面６０では、モニタされた治療槽３０の水温が中央のグラフ領域７０に表示される。グラフの縦軸や横軸などの表示設定は、グラフ表示ボタン７１で変更可能である。治療装置の運転は、運転開始ボタン７７や運転停止ボタン７８で操作し、動作設定や動作確認は、動作設定ボタン７２、動作確認ボタン７３で行う。保存ボタン７５、呼出ボタン７６を操作することによって、治療槽３０の水温や水位、治療装置本体２１の動作状態などのモニタ情報の保存／呼出が可能である。治療装置の使用を終了するときには、終了ボタン７９をクリックする。
【００３１】
サービス技術者によるメンテナンスを必要とするときには、アプリケーションプログラムがパスワードの入力を要求する。メンテナンス作業画面においては、治療装置本体２１の動作に関する各種設定が可能である。たとえば、水位センサ５１や温度センサ５２の補正、装置動作のエラー判定設定などである。また、温度センサ５２を取り外すことなく、温度調節器４４の校正や調整も可能である。メンテナンス作業は、治療装置の動作に関する重要な部分であるので、誤って使用者が操作しないようにパスワードで保護している。
【００３２】
図５はパスワード入力画面である。図４の通常使用画面６０において、メンテナンスボタン７４をクリックすると、アプリケーションプログラムがパスワードを要求するため、パスワード入力ウィンドウ８１が開く。ここでパスワードを入力し、予め設定されたパスワードと一致すると、図６のメンテナンス作業画面となる。メンテナンス作業画面６２では、メンテナンス作業ウィンドウ８２が開き、水温や水位などの治療装置の動作に関する設定が可能である。
【００３３】
図７は、本発明の機器メンテナンス方法を適用される治療装置の監視／制御手段にインストールされたアプリケーションプログラムのフローチャートである。まず、治療装置がステップＳ１で電源ＯＮされると、アプリケーションプログラムが起動する。アプリケーションプログラムが起動すると、ステップＳ２にて、治療装置に備えられた不揮発性記憶装置から様々な初期設定値が呼び出され、その設定値に基づいて治療装置のモニタが開始される（ステップＳ３）。
【００３４】
通常の使用時においては、このまま治療装置のモニタが続けられる。温熱治療の治療装置ではこのとき、モニタ画面には治療槽の水温や水位、動作状態などが、使用者の操作指令によって表示される。これらは、数値やグラフなどで表示される。使用者が必要とするときには、これらのモニタ情報を保存したり、過去に保存した情報を呼び出したりすることも可能である。また、治療装置に異常が発生したとき、或いは使用者の操作に誤りがあったときなどにおいては、画面にエラー表示がなされる。
【００３５】
このような通常の使用時とは異なり、ステップＳ４のようにサービス技術者によるメンテナンス作業が必要とされるときにおいては、ステップＳ５にてメンテナンスボタンをクリックする。メンテナンスボタンがクリックされると、モニタ画面上にパスワード要求画面が表示される（ステップＳ６）。ここでパスワードを入力して（ステップＳ７）、それが正しいものと一致すると（ステップＳ８）、ステップＳ９にてメンテナンス作業画面が表示される。
【００３６】
メンテナンス作業画面においては、治療装置の動作に関する各種設定が可能である。たとえば、水位センサや温度センサの補正、装置動作のエラー判定設定などである。また、温度センサを取り外すことなく、温度調節器の校正や調整も可能である。これにより、治療装置に組み込まれた温度調節器を手作業で分解するなどする必要がない。これらは、治療装置の動作に関する重要な部分であるので、使用者が誤って操作しないように、メンテナンス作業画面は前記のようにパスワードなどによって保護している。
【００３７】
メンテナンス作業後は、ＯＫボタンのクリック（ステップＳ１１）によって、作業設定値が治療装置に備えられた不揮発性記憶装置に保存され（ステップＳ１２）、その設定値にて治療装置の運転が開始される（ステップＳ１３）。その後は、通常のモニタが続けられる（ステップＳ１４）。
【００３８】
上記のように本発明の実施形態を示したが、この他、発明の主旨を逸脱しない範囲で種々の変更を加えて実施することができる。
【００３９】
【発明の効果】
本発明の上記構成によれば、機器メンテナンス方法において、機器の状態をモニタするとともに機器に対して操作指令を与える監視／操作手段を備え、通常の使用時とは異なる特殊な手続きをして、前記監視／操作手段に機器のメンテナンス作業画面を表示させ、該メンテナンス作業画面を使用して、機器の調整を行うこととした。複数のプログラムを立ち上げたり、パソコンなどの外部端末を別途持ち込んだりする場合においては、そのための手間や労力を必要とし、たいへん不便である。これに対し、本発明は、機器に備えられた監視／操作手段によって調整などのメンテナンス作業を行うことができるようにしたので、作業の負担が極めて少なくなる。さらに、機器の構成を簡素化することができ、機器を安価に提供することも可能である。また、パスワードを使用するなど、機器の通常の使用時とは異なる手続きを使用することによって、使用者が機器の動作に関わる重要な部分を操作することを防ぐことができる。
【００４０】
また、本発明は、機器メンテナンス方法において、前記機器が、治療槽内の湯に被治療者の身体を浸漬し、被治療者の体温を所定温度に上昇させ、且つこれを維持して治療を行う治療装置であることとした。これにより、治療装置に備えられた監視／操作手段によって、センサの校正や加熱／冷却動作の調整などが行えるようにしたので、複数のプログラムを立ち上げたり、パソコンなどの外部端末を別途持ち込んだりする必要がなく、作業の負担も極めて少なくなる。さらに、機器の構成を簡素化することができ、機器を安価に提供することも可能である。また、このような治療装置では、水はねや湯気を避けるため、治療装置とは切り離して監視／操作手段を設けるのが機器構成上望ましい。監視／操作手段が治療装置本体から離れている構成の場合、治療装置本体と監視／操作手段を見比べながらではなく、監視／操作手段の画面だけを見てメンテナンス作業を行えるとたいへん好都合である。本発明は、まさにこれを実現したものである。
【００４１】
また、本発明は、治療槽内の湯に被治療者の身体を浸漬し、被治療者の体温を所定温度に上昇させ、且つこれを維持して治療を行う、前記機器メンテナンス方法を適用される治療装置であることとしたので、治療装置の通常のモニタや操作とメンテナンス作業が、治療装置に備えられた監視／操作手段によって可能となり便利である。さらに、機器の構成を簡素化することができ、機器を安価に提供することも可能である。また、治療装置本体と監視／操作手段を見比べながらではなく、監視／操作手段の画面だけを見てメンテナンス作業を行うことが可能であるので、たいへん好都合である。
【００４２】
また、前記治療装置は、温度センサを取り外すことなく、温度調節器の校正や調整が可能であることとしたので、治療装置に組み込まれた温度調節器を手作業で分解するなどする必要がなく、治療装置に備えられた監視／操作手段の画面だけを見て校正や調整が可能となり便利である。治療装置本体と監視／操作手段を見比べながらメンテナンス作業をする必要がないので、その結果、作業の手間が省け、作業時間も短縮することが可能となる。
【００４３】
また、前記治療装置は、前記メンテナンス設定画面から入力された情報を保持する不揮発性記憶装置を備えることとしたので、治療装置の電源をＯＦＦにした場合でも情報が消去されず、次にメンテナンス作業をする機会に再度情報を参照することが可能となる。この結果、サービス技術者がメンテナンスをするたびに情報を入力する手間を省くことが可能となる。また、個々の治療装置固有のデータが外部に出ることがないので、データ管理が煩雑になることがなく、誤って他の装置のデータが使用されることがない。
【００４４】
また、以下のように機器メンテナンスシステムを構成した。
（ａ）機器
（ｂ）前記機器の状態をモニタするとともに機器に対して操作指令を与えることが可能な監視／操作手段
（ｃ）通常の使用時とは異なる特殊な手続きをすることによって、前記監視／操作手段に機器のメンテナンス作業画面を表示させ、該メンテナンス作業画面を使用して、機器の調整を行うことを可能とする、監視／操作手段にインストールされたアプリケーションプログラム。
【００４５】
このため、機器に備えられた監視／操作手段によって調整などが行えるようにしたので、複数のプログラムを立ち上げたり、パソコンなどの外部端末を別途持ち込んだりする必要がなく、作業の負担も極めて少なくなる。さらに、構成を簡素化することができ、安価に提供することが可能である。
【００４６】
また、本発明は、機器メンテナンスシステムにおいて、前記機器が、治療槽内の湯に被治療者の身体を浸漬し、被治療者の体温を所定温度に上昇させ、且つこれを維持して治療を行う治療装置であることとした。これにより、治療装置に備えられた監視／操作手段によって、センサの校正や加熱／冷却動作の調整などが行えるようにしたので、複数のプログラムを立ち上げたり、パソコンなどの外部端末を別途持ち込んだりする必要がなく、作業の負担も極めて少なくなる。さらに、機器の構成を簡素化することができ、機器を安価に提供することも可能である。また、治療装置本体と監視／操作手段を見比べながらではなく、監視／操作手段の画面だけを見てメンテナンス作業を行うことが可能であるので、たいへん好都合である。
【図面の簡単な説明】
【図１】機器メンテナンスシステムの構成図
【図２】図１の機器メンテナンスシステムを治療装置に応用した例を示す構成図
【図３】図２に示す治療装置の温度等を制御する制御系のブロック図
【図４】図２に示す治療装置の監視／制御手段にインストールされたアプリケーションプログラムの通常使用画面
【図５】図２に示す治療装置の監視／制御手段にインストールされたアプリケーションプログラムのパスワード入力画面
【図６】図２に示す治療装置の監視／制御手段にインストールされたアプリケーションプログラムのメンテナンス作業画面
【図７】図２に示す治療装置の監視／制御手段にインストールされたアプリケーションプログラムのフローチャート
【符号の説明】
１０　　監視／制御手段
２０　　機器
２１　　治療装置本体
４０　　制御部
４１　　制御装置
４２　　モニタ装置
４３　　不揮発性記憶装置
４４　　温度調節器
５１　　水位センサ
５２　　温度センサ
６０　　通常使用画面
６２　　メンテナンス作業画面
【図１】
2004097623.tif 000003
【図２】
2004097623.tif 000004
【図３】
2004097623.tif 000005
【図４】
2004097623.tif 000006
【図５】
2004097623.tif 000007
【図６】
2004097623.tif 000008
【図７】
2004097623.tif 000009